(57)【要約】【課題】使用者が電話装置から耳を離している場合でも、通話相手から話しかけられたことを使用者が察知可能な電話装置を提供する。【解決手段】本発明にかかる電話装置は、音声を出力するスピーカーと、前記スピーカーと使用者の耳が接触あるいは近接した状態であるか否かを検出するセンサと、通話相手からの音声を検出する音声検出手段と、前記センサが使用者の耳が前記スピーカに接触あるいは近接していないことを検出したときに、前記音声検出手段によって通話相手からの音声を検出すると、使用者に報知を行うように制御する制御手段と、を備える。【選択図】  図１
2004356678.tif 000002
【特許請求の範囲】
【請求項１】
音声を出力するスピーカーと、
前記スピーカーと使用者の耳が接触した状態であるか否かを検出するセンサと、
通話相手からの音声を検出する音声検出手段と、
前記センサが使用者の耳が前記スピーカに接触していないことを検出したときに、前記音声検出手段によって通話相手からの音声を検出すると、使用者に報知を行うように制御する制御手段と、
を備えていることを特徴とする電話装置。
【請求項２】
音声を出力するスピーカーと、
前記スピーカーと使用者の耳が近接した状態であるか否かを検出するセンサと、
通話相手からの音声を検出する音声検出手段と、
前記センサが使用者の耳が前記スピーカに近接していないことを検出したときに、前記音声検出手段によって通話相手からの音声を検出すると、使用者に報知を行うように制御する制御手段と、
を備えていることを特徴とする電話装置。
【請求項３】
前記電話装置は情報を表示する表示手段を備え、
前記制御手段は、前記表示手段へ報知情報を表示することにより前記報知を行うことを特徴とする請求項１または２に記載の電話装置。
【請求項４】
前記電話装置は前記表示手段の表示輝度を調整できる照明手段を備え、
前記制御手段は前記報知を行うときに前記表示輝度を変化させるように前記照明手段を制御することを特徴とする請求項３に記載の電話装置。
【請求項５】
前記電話装置は発光手段を備え、前記制御手段は前記発光手段の輝度を変化させることにより前記報知を行うことを特徴とする請求項１または２に記載の電話装置。
【請求項６】
前記電話装置は振動手段を備え、前記制御手段は前記振動手段により前記電話装置を振動させることにより前記報知を行うことを特徴とする請求項１または２に記載の電話装置。
【請求項７】
前記報知は前記スピーカーからの信号音の出力であることを特徴とする請求項１または２に記載の電話装置。
【請求項８】
前記電話装置は通話相手の言葉を音声認識して文字列に置き換える音声認識手段を備え、前記報知情報は通話相手の言葉であることを特徴とする請求項３に記載の電話装置。
【発明の詳細な説明】
【０００１】
【発明の属する技術分野】
本発明は、通話を行う電話装置に関する。
【０００２】
【従来の技術】
携帯電話装置での通話中に、携帯電話装置内に保持されている電話番号やメールの内容を確認する場合がある。この時、使用者は携帯電話を頭部から離してキーの操作等を行ない、液晶などの表示画面に表示される電話番号やメールの内容を見ている場合が多い。
【０００３】
ところが、このような状況で通話相手から何か話しかけられても、通話相手の声が大きくない場合には、話しかけられたことに気づかず操作を続けてしまい、通話相手を待たせてしまうなど不快感を与えてしまう。また、使用者自身にとっても何らかの大事な機会を逃すことになりかねない。
【０００４】
このような状況に対応するために、２つの音声出力手段を有し、電話装置に耳をつけている場合には耳に接した音声出力手段から音声を出力し、耳を離した場合にはもう一方の音声出力手段から耳を離した状態でも聞き取れる音量の音声を出力する出力切替回路を備えた携帯端末がある（例えば、特許文献１参照。）。また、耳を離した際に自動的に音量を大きくするようなヘッドセットがある（例えば、特許文献２参照。）。
【０００５】
【特許文献１】
特開２００１−２２３７８４号公報
【特許文献２】
特開２００２−５７７８６号公報
【０００６】
【発明が解決しようとする課題】
しかしながら上記した従来の技術では、周囲にいる第３者に通話の内容が漏れ聞こえてしまうという、プライバシーに関わる問題がある。そこで本発明は、使用者が電話装置から耳を離している場合でも、周囲の第３者にその内容を知られることなく、通話相手から話しかけられたことを使用者が察知可能な電話装置を提供することを目的とする。
【０００７】
【課題を解決するための手段】
上記課題を解決するために、本発明にかかる電話装置は、音声を出力するスピーカーと、前記スピーカーと使用者の耳が接触あるいは近接した状態であるか否かを検出するセンサと、通話相手からの音声を検出する音声検出手段と、前記センサが使用者の耳が前記スピーカに接触あるいは近接していないことを検出したときに、前記音声検出手段によって通話相手からの音声を検出すると、使用者に報知を行うように制御する制御手段と、を備える。
【０００８】
【発明の実施の形態】
以下、図を用いて本発明の実施形態について説明する。
【０００９】
図１は本発明の実施形態を用いた携帯電話装置の構成概略を示した図である。携帯電話装置１００は、無線信号の送受信を行うアンテナ１０１と、送信信号の変調および受信信号の復調を行う送受信手段としての無線部１０２と、高周波信号とデジタル信号の変換を行うベースバンド信号処理部１０３と、携帯電話装置１００全体の制御を行う制御部１０４と、キー入力操作を受け付ける操作部１０５と、受信音声を出力する音声出力部１０６と、送信音声を入力する音声入力部１０７と、操作部１０５による操作結果や携帯電話装置全体の状態を表示する表示部１０８と、使用者の耳と電話機が接触しているか否かを検出するセンサ１０９と、から構成される。
【００１０】
図１には示されていない基地局からの受信信号は、アンテナ１０１で受信され無線部１０２、ベースバンド信号処理部１０３を介して制御部１０４へ渡される。受信信号が音声である場合には、制御部１０４にて人間の音声以外の雑音を低減するフィルタリング処理を行って周囲の雑音が除去され、音声出力部１０６を通じて使用者に出力される。音声でない場合には、制御部１０４が受信信号の内容に応じて、例えば着信などの処理を行う。制御部１０４での雑音除去のフィルタリング処理には、スペクトルサブトラクションなどの手法を用いることができる。音声入力部１０７から入力された音声は制御部１０４を介してベースバンド信号処理部１０３に渡されて変調され、無線部１０２とアンテナ１０１を通じて基地局へ送出される。
【００１１】
使用者が操作部１０５を操作するとキー操作情報が制御部１０４に渡され、制御部１０４は現在の状態とキー操作情報とから携帯電話装置１００全体の制御を行う。例えば、表示部１０８に文字を表示させたり、音声出力部１０６から操作音を出力したり、ベースバンド信号処理部１０３や無線部１０２を介して発呼処理を行う。表示部１０８は例えば液晶のような表示装置であり、制御部１０４の指示にしたがって文字や絵などの表示を行ない、使用者に情報を提示する。
【００１２】
センサ１０９は、使用者の耳が接触した状態であるか否かを検出して制御部１０４に通知する。センサ１０９には、例えば圧力センサを用いることができる。センサ１０９を使用者が耳を押し当てる音声出力部１０６近傍に配置することで、使用者の耳が電話機から離れているか否かを検出できる。他にも赤外線等を発光して、その反射光を検出する仕組みを備える反射型センサや、超音波やレーザー光などを発射して、反射して返ってくるまでの時間により距離を算出する距離センサを用いることもできる。
【００１３】
次に本実施形態での着信時の処理の流れを図２のフローチャートを用いて説明する。まず、使用者が耳を携帯電話装置１００から離さずに通話を行い、その後、通話を終了する場合の流れを説明する。
【００１４】
ステップＳ１０１にて携帯電話装置１００で通話が開始されると、制御部１０４はアンテナ１０１から無線部１０２、ベースバンド信号処理部１０３を介して受け取った通話相手の音声を音声出力部１０６を通じて使用者に出力する。また、音声入力部１０７から入力された使用者の音声をベースバンド信号処理部１０３、無線部１０２を介してアンテナ１０１から基地局へ送出する。ステップＳ１０２にて制御部１０４はセンサ１０９による使用者の耳が携帯電話装置１００と接触しているか否かの検出を開始させる。
【００１５】
ステップＳ１０３にて制御部１０４が通話は継続されている状態であると判定した場合にはステップＳ１０４に進み、制御部１０４はセンサ１０９によって使用者の耳が携帯電話装置１００から接触しているか否かの判定を行う。この場合は使用者の耳は携帯電話装置１００から離れていないのでステップＳ１０８へ進み、ステップＳ１０８では何の報知処理も行っていないため、そのままＳ１０３へ戻る。
【００１６】
ステップＳ１０３にて制御部１０４が通話が終了された状態と判定した場合には、ステップＳ１１０に進み、制御部１０４はセンサ１０９による検出を停止し、ステップＳ１１１にて待受け状態へと移行する。
【００１７】
次に使用者が通話中に携帯電話装置１００から耳を離して操作部１０５からキー入力を行って、表示部１０８に情報を表示させる等をしている場合に、通話相手から話しかけられたことを使用者に通知する処理の流れを説明する。
【００１８】
ステップＳ１０４にてセンサ１０９が使用者の耳が携帯電話装置１００から離れたことを検出した場合には、ステップＳ１０５へ進む。ステップＳ１０５では、制御部１０４が通話相手からの音声を検出していない場合には、ステップＳ１０３へ戻る。
【００１９】
ステップＳ１０５にて制御部１０４が通話相手の音声を検出した場合には、通常通り音声出力部１０６からの音声出力を行うとともに、ステップＳ１０６からステップＳ１０７へ進み、使用者に対して「通話相手が話しかけてきている」ことを報知する。具体的には、表示部１０８に図３のように、「相手が話しかけています」等のメッセージを表示する。その後はステップＳ１０３へ戻る。
【００２０】
なお、制御部１０４が「通話相手が話しかけてきている」ことを検出する際には、ベースバンド信号処理部１０３から受け取る通話相手の音声のみを検出対象とし、音声入力部１０７から入力される使用者の声や周囲の雑音は、検出対象としないものとする。
【００２１】
この報知処理が行われている時に、使用者が耳を携帯電話装置１００に接触させて相手との会話を再開した場合には、ステップＳ１０４からステップＳ１０８、ステップＳ１０９へ進み、制御部１０４は報知処理を終了する。
【００２２】
もし使用者が通話相手が話しかけてきて報知処理が行われているにも関わらず、耳を携帯電話装置１００から離したままだと、くり返しステップＳ１０５からステップＳ１０６を経て、ステップＳ１０２へ戻ることになる。
【００２３】
これにより、使用者が電話装置から耳を離している場合でも、周囲の第３者にその内容を気づかれることなく、使用者は通話相手から話しかけられたことを知ることができる。
【００２４】
なお、第１の実施形態ではセンサ１０９は使用者の耳が電話機と接触しているか否かを判定しているが、これに限定するものではなく、第２の実施形態として接触のみならず、近接しているか否かを検出するようにしても良い。この場合、センサ１０９による使用者の耳と電話機が近接しているか否かの判定は、超音波やレーザー光を用いた距離センサで、両者が数センチ程度の距離を隔てているかどうかで判定する。これにより使用者が電話機を耳から数センチほど離して会話をしている場合に、使用者に対する無駄な報知を行わずに済ませることができる。
【００２５】
また、第３の実施形態として、表示部１０８の液晶表示装置は視認性を高めるためにバックライトを備えるようにしても良い。このバックライトの明滅などの輝度変化によって、使用者に通話相手から話しかけられたことを報知することもできる。これにより使用者は、報知された時点で表示部１０８に表示させていた情報を、報知の表示によって覆いかぶされてしまうことで読み取れなくなってしまうことなく、通話相手が話しかけてきたことを知ることができる。
【００２６】
さらに、第４の実施形態として、携帯電話装置１００が、図４のように発光部１１０を備えるものとし、ステップＳ１０６における報知をこの発光手段の明滅などの輝度変化によって行うようにしても良い。この発光手段としては、例えばＬＥＤを用いても良い。これにより、使用者が電話装置から耳を離している場合でも、周囲の第３者にその内容を気づかれることなく、使用者は発光手段の明滅によって通話相手から話しかけられたことを知ることができる。
【００２７】
さらに、第５の実施形態として携帯電話装置１００が図５のように振動部１１１を備えるものとし、ステップＳ１０６における報知をこの振動部による携帯電話装置１００の振動によって行うようにすることもできる。これにより、使用者が電話装置から耳を離している場合でも、周囲の第３者にその内容を気づかれることなく、また携帯電話装置１００を視野に入れていない場合でも接触してさえいれば、通話相手から話しかけられたことを知ることができる。
【００２８】
また、第６の実施形態として、ステップＳ１０６における報知を音声出力部１０６からの信号音の出力としても良い。これにより、使用者が電話装置から耳を離している場合でも、周囲の第３者にその内容を気づかれることなく、また携帯電話装置１００を視野に入れていない場合でも、通話相手から話しかけられたことを知ることができる。
【００２９】
さらに、第７の実施形態として携帯電話装置１００が図６に示すように、音声認識部１１２を備えても良い。この音声認識部１１２は、制御部１０４から受けた音声を認識して、文字列にして制御部１０４に渡す。図７は、第７の実施形態での処理の流れを表すフローチャートである。図７と図２の違いはステップＳ１０６とＳ１０７が無く、代わってステップＳ１１２とＳ１１３が存在することである。
【００３０】
使用者が携帯電話装置１００から耳を離している時に通話相手から話しかけられると、第１実施形態と同様にしてステップＳ１０５で制御部１０４が通話相手の音声を検出してステップＳ１１２へ進む。ステップＳ１１２では制御部１０４は、通話相手の音声を音声認識部１１２を用いた音声認識処理によって文字列に置き換え、ステップＳ１１３にて相手の話しかけてきた言葉を表示部１０８に表示し、ステップＳ１０３へ戻る。
【００３１】
なお、通話相手に連続的に話しかけられると、画面に表示しきれない場合があるが、その際には古い方の言葉から消去して上書きして表示したり、古い方の言葉をスクロールさせてその下に表示させたりすることができる。
【００３２】
これにより、使用者が電話装置から耳を離している場合に、周囲の第３者にその内容を気づかれることなく、使用者は通話相手から話しかけられたことを知ることができるとともに、その内容を画面上で知ることができ、話しかけられた内容をあらためて通話相手に問いなおすことをせずに済む。
【００３３】
【発明の効果】
本発明によれば、通話中に使用者が電話を頭部から離している場合でも、通話相手から話しかけられたことを知ることができる。
【図面の簡単な説明】
【図１】第１の実施形態にかかる携帯電話装置の構成概略を示した図である。
【図２】第１の実施形態における制御部の処理を示すフローチャートである。
【図３】報知画面の一例である。
【図４】第４の実施形態にかかる携帯電話装置の構成概略を示した図である。
【図５】第５の実施形態にかかる携帯電話装置の構成概略を示した図である。
【図６】第７の実施形態にかかる携帯電話装置の構成概略を示した図である。
【図７】第７の実施形態における制御部の処理を示すフローチャートである。
【符号の説明】
１００…携帯電話装置
１０１…アンテナ
１０２…無線部
１０３…ベースバンド信号処理部
１０４…制御部
１０５…操作部
１０６…音声出力部
１０７…音声入力部
１０８…表示部
１０９…センサ
１１０…発光部
１１１…振動部
１１２…音声認識部
【図１】
2004356678.tif 000003
【図２】
2004356678.tif 000004
【図３】
2004356678.tif 000005
【図４】
2004356678.tif 000006
【図５】
2004356678.tif 000007
【図６】
2004356678.tif 000008
【図７】
2004356678.tif 000009